(57)【要約】【課題】緊急外来手術等で患者が特定されていない状態で行った検査の情報を検査後に患者を識別する情報と対応付ける際に、ユーザが手間をかけずに容易に行うことを可能とする技術を提供する。【解決手段】患者を検査して検査情報を生成する検査装置２と、少なくとも一の検査装置２と通信可能であり、患者を識別する患者情報及び検査装置２から受信した検査情報を格納するサーバ１とを有する検査システムにおいて、記憶装置４は、サーバ１に備えられ、患者情報と対応付けのなされていない検査情報を格納する。記憶装置４に格納されている検査情報を識別する識別情報を付与しておき、識別情報に基づいて、記憶装置４に格納されている検査情報とサーバ１の患者情報とを対応付ける。【選択図】図１
2017054316.tif 000002
【特許請求の範囲】
【請求項１】
患者を検査して検査情報を生成する検査装置と、少なくとも一の前記検査装置と通信可能であり、前記患者を識別する患者情報及び前記検査装置から受信した前記検査情報を格納するサーバとを有する検査システムであって、
前記サーバに備えられ、前記患者情報と対応付けのなされていない検査情報を格納する格納部と、
前記格納部に格納されている前記検査情報を識別する識別情報を生成する識別情報生成部と、
前記識別情報に基づいて、前記格納部に格納されている検査情報と前記サーバに格納されている前記患者情報とを対応付ける対応付け部と、
を備えることを特徴とする検査システム。
【請求項２】
前記識別情報は、前記格納部上の前記検査情報の格納先のパスを表すパス情報であり、
前記識別情報生成部が生成した前記パス情報を所定の形式で出力する出力部と、
前記出力部により前記所定の形式で出力された前記パス情報を読み取る読取部と、
を更に備え、
前記対応付け部は、前記読取部による読み取り結果に基づき前記パス情報が表すパスに格納されている前記検査情報と前記患者情報との対応付けを行うことを特徴とする請求項１に記載の検査システム。
【請求項３】
前記出力部は、前記所定の形式として紙媒体に前記パス情報を出力し、
前記読取部は、前記紙媒体から前記パス情報を読み取ることを特徴とする請求項２に記載の検査システム。
【請求項４】
前記識別情報は、前記検査情報の格納先のパスを情報に含むＱＲコード（登録商標）であることを特徴とする請求項１記載の検査システム。
【請求項５】
前記識別情報は、患者の所在場所を表した情報からなり、前記識別情報生成部は、前記検査装置に備えられ、
前記検査装置において、これから前記サーバに送信する検査情報には前記患者情報が対応付けられていないことを認識した場合には、前記識別情報生成部で生成した前記識別情報を前記検査情報とともに前記サーバに送信し、
前記サーバにおいては、前記識別情報とともに受信した検査情報については、前記格納部に格納する
ことを特徴とする請求項１に記載の検査システム。
【請求項６】
前記対応付け部は、前記サーバに格納されている一の患者情報に対して前記識別情報を用いて前記格納部に格納されている検査情報との対応付けを指示された場合に、前記識別情報により識別される検査情報と、該患者情報との対応付けを行うことを特徴とする請求項１に記載の検査システム。
【発明の詳細な説明】
【技術分野】
【０００１】
本発明は、患者等の被検者を検査して検査情報を生成する検査装置と、検査装置と相互に接続されて、検査装置から受信した検査情報を患者等を識別する情報とともに格納するサーバとを有する検査システムにおいて、検査情報と患者等を識別する情報とを対応付ける技術に関する。
【背景技術】
【０００２】
近年、医療の現場においても書類の電子データ化が進められてきており、これに関し、書類の電子データ化を推進させるための技術が各種提供されている。例えば、患者を識別する患者ＩＤや書類ＩＤ等の識別情報を含むバーコードを生成し、書類のフォーマットに付加する技術が開示されている（例えば、特許文献１）。各書類からバーコードや患者ＩＤ等の情報が記載されている領域を読み取って、抽出された情報を書類間で比較して、相互に情報が一致する場合には、これらの書類のデータベースへの登録を行う。
【０００３】
内視鏡装置やＣＴ（Computed Tomography）、ＭＲＩ（Magnetic Resonance Imaging）等の画像診断装置や、その他の検査結果のデータを生成する検査装置では、検査の結果得られた画像等の情報を、通常の検査時には、患者を識別する情報と対応付けてサーバに送信する。サーバでは、検査装置から受信した検査結果の情報を、これに対応付けられた患者を識別する情報とともに格納している。
【先行技術文献】
【特許文献】
【０００４】
【特許文献１】特開２０１０−２５７３９６号公報
【発明の概要】
【発明が解決しようとする課題】
【０００５】
上記のとおり、検査結果は患者を識別情報と対応付けてサーバに保存されるのが通常であるが、緊急外来手術等においては、患者を特定しないまま検査をすることがあるため、この限りでない。
【０００６】
図９は、患者の特定されていない状態で検査を行った場合の従来における一連の処理の流れを説明する図である。
図９に示すように、患者が特定されていない状態で検査を行った場合には、検査装置は、検査で得られた画像等の情報のみをサーバに送信する。サーバでは、受信した情報に検査日時を付してこれを記憶装置の所定の領域に一時的に保存しておく。後日患者が特定されると、検査システムのユーザは、サーバと接続されている端末装置を介して、記憶装置に患者情報を登録する。そして、記憶装置の所定の領域に一時的に保存しておいた検査情報の一覧を参照し、目視で検査日時に基づき該当する検査情報を探して、登録された患者情報と対応付けを行う。
【０００７】
一般的には、患者の特定されていない検査結果のデータ件数が膨大なものとなることも多い。この場合、従来における方法では、患者情報と検査結果のデータとを対応付ける作業にかかる手間が増大し、ユーザの負担が重くなるという問題がある。
【０００８】
本発明は、緊急外来手術等で患者が特定されていない状態で行った検査の情報を検査後に患者を識別する情報と対応付ける際に、ユーザが手間をかけずに容易に行うことを可能とする技術を提供することを目的とする。
【課題を解決するための手段】
【０００９】
本発明の一態様に係る検査システムによれば、患者を検査して検査情報を生成する検査装置と、少なくとも一の前記検査装置と通信可能であり、前記患者を識別する患者情報及び前記検査装置から受信した前記検査情報を格納するサーバとを有する検査システムであって、前記サーバに備えられ、前記患者情報と対応付けのなされていない検査情報を格納する格納部と、前記格納部に格納されている前記検査情報を識別する識別情報を生成する識別情報生成部と、前記識別情報に基づいて、前記格納部に格納されている検査情報と前記サーバに格納されている前記患者情報とを対応付ける対応付け部と、を備えることを特徴とする。
【発明の効果】
【００１０】
本発明によれば、緊急外来手術等で患者が特定されていない状態で行った検査の情報を、検査後に患者を識別する情報と対応付ける際に、ユーザが手間をかけずに容易に行うことが可能となる。
【図面の簡単な説明】
【００１１】
【図１】実施形態に係る検査システムによる患者が特定されない状態で検査を行う場合の処理フローを示すシーケンス図である。
【図２】サーバによる患者情報と対応付けのない検査情報を処理するための全体制御を示したフローチャートである。
【図３】検査情報保存要求を受信した場合にサーバが実施する処理を示したフローチャートである。
【図４】ユーザの端末装置から検査情報閲覧操作の指示を受信した場合にサーバが実施する処理を示したフローチャートである。
【図５】ユーザの端末装置に表示させる画面を例示する図である。
【図６】検査装置による検査情報をサーバに登録する処理を示したフローチャートである。
【図７】印刷装置が実施する印刷処理を示したフローチャートである。
【図８】実施形態に係る検査システムにおいて患者情報と検査情報とを対応付けてサーバにて管理する方法について説明する図である。
【図９】患者の特定されていない状態で検査を行った場合の従来における一連の処理の流れを説明する図である。
【発明を実施するための形態】
【００１２】
以下、本発明の実施の形態について、図面を参照して詳細に説明する。
図１は、本実施形態に係る検査システムによる患者が特定されない状態で検査を行う場合の処理フローを示すシーケンス図である。
【００１３】
本実施形態に係る検査システムは、少なくとも、検査装置２とサーバ１とを有する。
検査装置２は、患者等の被検者を検査して画像等の検査情報を生成し、例えば、内視鏡装置、ＣＴやＭＲＩ等の画像診断装置、その他各種の検査結果のデータを検査情報として生成する装置がこれに該当する。
【００１４】
サーバ１は、検査装置２と相互に通信可能であり、患者（被検者）を識別する患者情報及び検査装置２から受信した検査情報を記憶装置４に記憶する。
なお、図１においては１台の検査装置２を記載しているが、これに限定されず、サーバ１に対して２台以上の検査装置２が接続されていてもよい。
【００１５】
緊急外来手術等の急患発生時には、患者が特定されないまま検査を実施することがある。患者が特定されず、言い換えると患者情報と対応付けられていないまま生成された検査情報については、検査装置２からサーバ１に送信してサーバ１の記憶装置４の所定の一時記憶領域に記憶させておく。そして、患者が特定されてその患者情報が記憶装置４に登録された後に、患者情報と検査情報とを対応付ける。図１のシーケンス図は、患者が特定されないまま検査を行い検査情報が生成された後に本実施形態に係る検査システムが実施する処理フローを示している。
【００１６】
まず、検査装置２は、患者情報が対応付けられていない検査情報を記憶装置４に保存する旨を要求する検査情報保存要求を、サーバ１に送信する。サーバ１は、当該要求を受信すると、記憶装置４上の検査情報を一時的に格納する場所を検査装置２に通知する。実施例では、検査情報を格納するパスを表したパス情報を検査装置２に通知する。
【００１７】
検査装置２は、サーバ１から通知されたパス情報を管理するとともに、検査情報をサーバ１に送信する。検査情報は、検査の結果生成された動画データや静止画データ、その他の検査に関する情報を含む。サーバ１は、記憶装置４上の検査装置２に通知したパス情報が表す場所に検査情報を格納する。こうして、検査システムは、検査の段階における処理を終了する。
【００１８】
パス情報の管理方法としては、実施例では、検査装置２は、接続されている印刷装置３に対してパス情報の印刷指示を出し、印刷装置３がパス情報を紙媒体に出力する。検査日時等の検査情報にかかわる情報を併せて出力してもよい。ユーザは、患者が特定されると、端末装置６を介して記憶装置４に患者情報を登録する。そして、端末装置６から紙媒体に印字されたパス情報を用いて記憶装置４のパス情報が表す領域の検査情報にアクセスして、これを患者情報と対応付ける。このように、本実施例では、パス情報を、まだ患者情報と対応付けのされていない検査情報を識別するための情報として用いる。本実施例では、上記のとおり、サーバ１の識別情報を生成する識別情報生成部が、パス情報を生成し、サーバ１の対応付け部が、パス情報が表す領域の検査情報と、患者情報との対応付けを行う。
【００１９】
パス情報としては、例えばＱＲコード（登録商標）等のコードを用いることができる。実施例では、検査装置２が、サーバ１から受信したパス情報に基づきＱＲコード等のコードを生成する。ユーザは、紙媒体に印字されたＱＲコード等をスキャナ等の映像認識装置５を用いて読み取らせる。映像認識装置５は、サーバ１と通信可能に構成され、読み取ったＱＲコード等の画像データをサーバ１に送信する。サーバ１は、受信した画像データに含まれるパス情報を抽出して、パス情報が表す場所のフォルダをユーザに提示する。そして、ユーザの指示にしたがって、フォルダ内の検査情報と患者情報との対応付けを行う。
【００２０】
図１のシーケンス図にも示すように、サーバ１は、検査装置２や映像認識装置５等からのアクセスを待ち受け、アクセスがあった場合には、相手装置からどのような要求や指示を受信したかに応じて制御を行う。かかる制御を行うサーバ１のソフトウェアを、以下サーバソフトウェア０１という。
【００２１】
図２は、サーバソフトウェア０１のアルゴリズムを示す図であり、サーバ１による患者情報と対応付けのない検査情報を処理するための全体制御を示したフローチャートである。
【００２２】
サーバソフトウェア０１においては、まず、ステップＳ１で、電源がオンにされると、ステップＳ２で、サーバソフトウェア０２及び０３を生成し、ステップＳ３で、他の装置からの要求や操作指示を待ち受ける。
【００２３】
検査情報保存要求を検査装置２から受信した場合には、ステップＳ４に進み、サーバソフトウェア０２にメッセージを送信し、ステップＳ３の動作待ち状態に戻る。
検査情報閲覧操作の指示をユーザが使用する端末装置６から受信した場合には、ステップＳ５に進み、サーバソフトウェア０３にメッセージを送信し、ステップＳ３の動作待ち状態に戻る。
【００２４】
こうして、サーバ１の電源がオフにされると、サーバソフトウェア０１の処理を終了させる。
図３は、サーバソフトウェア０２のアルゴリズムを示す図であり、図１の検査情報保存要求を受信した場合にサーバ１が実施する処理を示したフローチャートである。サーバソフトウェア０１が図１のステップＳ２でサーバソフトウェア０２を生成すると、図３に示す一連の処理が開始される。
【００２５】
サーバソフトウェア０２では、まず、ステップＳ１１で、動作待ちをし、検査装置２から検査情報保存要求メッセージを受信すると、ステップＳ１２へと処理を移行させる。
ステップＳ１２では、検査情報を保存する予定のパスを取得して、サーバ１の前述の識別情報生成部が、取得したパスより患者情報と対応付けのされていない検査情報を識別する識別情報としてのパス情報を生成して、これを検査装置２に対して送信する。
【００２６】
ステップＳ１３では、検査情報を検査装置２から受信する。ステップＳ１４で、検査情報の受信結果を判定し、成功の場合はステップＳ１５へと処理を移行させ、失敗の場合はステップＳ１７へと処理を移行させる。
【００２７】
ステップＳ１５では、受信した検査情報をステップＳ１２で送信したパス情報が表す領域に保存し、ステップＳ１６で、検査情報の保存完了フラグに「検査情報保存済」であることを表す値を設定し、ステップＳ１１に戻る。
【００２８】
一方、ステップＳ１７では、ステップＳ１３で受信したデータを破棄し、ステップＳ１１に戻る。
こうして、上記の処理を繰り返し、ステップＳ１１で電源がオフにされると、サーバソフトウェア０２の処理を終了する。
【００２９】
図４は、サーバソフトウェア０３のアルゴリズムを示す図であり、図１のユーザの端末装置６から検査情報閲覧操作の指示を受信した場合にサーバ１が実施する処理を示したフローチャートである。サーバソフトウェア０１が図１のステップＳ２でサーバソフトウェア０３を生成すると、図４に示す一連の処理が開始される。
【００３０】
サーバソフトウェア０３では、まず、ステップＳ２１で、動作待ちをし、ユーザの端末装置６から検査情報閲覧操作メッセージを受信すると、ステップＳ２２へと処理を移行させる。
【００３１】
ステップＳ２２では、図５の画面（１）をユーザの端末装置６に表示させて、ステップＳ２３で、更に動作待ちをする。
図５（ａ）は、ステップＳ２２でユーザの端末装置６に表示させる画面（１）を例示する図である。画面（１）には、サーバ１の記憶装置４に既に登録されている患者情報５１と、対応付けられている検査情報の一覧５２とが表示される。また、画面（１）には、一覧５２にはない検査情報を新たに患者情報５１と対応付けるためのボタン５３が表示される。
【００３２】
図４のステップＳ２３で、ユーザがボタン５３を押下したことを認識すると、ステップＳ２４に進み、患者情報５１と対応付けのなされていない検査情報を患者情報５１と対応付ける処理を実行する。
【００３３】
ステップＳ２４では、図５の画面（２）をユーザの端末装置６に表示させる。
図５（ｂ）は、ステップＳ２４でユーザの端末装置６に表示させる画面（２）を例示する図である。画面（２）には、画面（１）と同様の患者情報５１と、メッセージ５５とが表示されている。ユーザは、メッセージ５５にしたがって、例えば図１の映像認識装置５に紙媒体に印字されているＱＲコードを認識させる。認識されたＱＲコードの画像データは、映像認識装置５から直接に、あるいはユーザの端末装置６を介して間接に、サーバ１に送信される。
【００３４】
図４のステップＳ２５では、サーバ１は、ＱＲコードの読み込みを行う。具体的には、映像認識装置５で認識した画像データを受信し、画像データからパス情報を抽出すると、ステップＳ２６に進む。
【００３５】
ステップＳ２６で、ステップＳ２５で抽出したパス情報より対応するフォルダを探索し、探索の結果該当するフォルダに格納されている検査情報の保存完了フラグを参照し、検査情報保存済であることを表す値が設定されているか否かを判定する。検査情報保存済を表す値が設定されている場合は、ステップＳ２７に進み、検査情報保存済を表す値が設定されていない場合は、ステップＳ２８に進む。
【００３６】
ステップＳ２７では、サーバ１の前述の対応付け部が、パス情報が示すフォルダに格納されている検査情報を、画面に表示されている患者情報５１と対応付けを行い、ステップＳ２２に戻る。このとき、図３のステップＳ１５及びステップＳ１６で保存した情報を記憶装置４から削除してもよい。
【００３７】
ステップＳ２７からステップＳ２２に戻った後の画面（１）には、ステップＳ２７で対応付けした検査情報が一覧５２に追加されている。
一方、ステップＳ２８では、図５の画面（３）を表示する。
【００３８】
図５（ｃ）は、ステップＳ２８でユーザの端末装置６に表示させる画面（３）を例示する図である。画面（３）には、メッセージ５６とＯＫボタン５７とが表示されている。メッセージ５６には、たとえば図５（ｃ）に例示するように、検査情報のパス情報が示すフォルダへの保存が正常に完了していない旨を表示する。これは、例えばステップＳ２６の時点で検査装置２からサーバ１に送信中の検査情報については、パス情報を含むＱＲコードが出力済であっても、患者情報と対応付けて登録することができないためである。ユーザがＯＫボタン５７を押下したことを検知すると、図４のステップＳ２８からステップＳ２２に戻る。
【００３９】
ステップＳ２２で、図５（ａ）の画面（１）のＯＫボタン５４をユーザが押下したことを検知すると、ステップＳ２９へと処理を移行させる。ステップＳ２９では、ユーザの端末装置６上に表示されている画面（１）を閉じるよう制御を行い、ステップＳ２１に戻る。
【００４０】
以降は同様の処理を繰り返し、サーバ１の電源がオフにされると、処理を終了する。
サーバ１が上記のサーバソフトウェア０１〜０３を実行する際の対応する検査装置２や印刷装置３の処理についても説明する。
【００４１】
図６は、検査装置２のアルゴリズムを示し、検査装置２による検査情報をサーバ１に登録する処理を示したフローチャートである。
検査装置２は、まず、ステップＳ３１で、検査装置２の電源がオンにされると、ステップＳ３２で、動作待ちの状態となる。検査が実施され、検査情報が生成されると、ステップＳ３３へと処理を移行させる。
【００４２】
ステップＳ３３では、患者を特定する患者情報が検査装置２に入力されているか否かを判定する。先にも述べたとおり、急患等で患者が特定されていない状態で検査を行った場合には、患者情報が入力されていないこととなる。
【００４３】
患者情報が入力されている場合は、ステップＳ３８へ進み、サーバ１に患者を特定する情報と検査情報を併せて送信し、ステップＳ３２に戻る。
患者情報が入力されていない場合は、ステップＳ３４へ進み、サーバ１に検査情報保存要求メッセージを送信する。ステップＳ３５で、サーバ１から検査情報の保存されているパスを表したパス情報を受信すると、ステップＳ３６で、パス情報からＱＲコードを生成して、検査装置２に接続されている印刷装置３を介してＱＲコードを紙媒体に出力する。
【００４４】
なお、ユーザは、患者が特定されて患者情報と検査情報を対応付ける作業を実施可能となるまで、ステップＳ３６でＱＲコードを印字した紙媒体を保管しておく。急患等で患者が特定されていない場合であっても、カルテ等の患者に関する書類は作成されているので、これら書類とともに管理しておいてもよい。
【００４５】
ステップＳ３７では、サーバ１に検査情報を送信すると、ステップＳ３２に戻る。
以降は、検査が実施される度に上記と同様の処理を繰り返し、ステップＳ３２の動作待ちの状態において、電源がオフにされると、処理を終了する。
【００４６】
同様に、ＱＲコードを印字する印刷装置３の動作についても説明する。
図７は、印刷装置３のアルゴリズムを示す図であり、印刷装置３が実施する印刷処理を示したフローチャートである。
【００４７】
まず、ステップＳ４１で、印刷装置３の電源がオンにされると、ステップＳ４２で動作待ちの状態に入る。検査装置２から印刷指示を受信すると、ステップＳ４３に進み、指示にしたがって印刷処理を実施し、ステップＳ４２に戻る。ここでＱＲコードを印刷する旨の指示を受信した場合には、ＱＲコードを紙媒体に印刷する。
【００４８】
以降は同様に印刷指示を受信する度に上記と同様の処理を繰り返し、ステップＳ４２の動作待ちの状態において、電源をオフにされると、処理を終了する。
以上説明したように、本実施形態に係る検査システムによれば、急患等で患者情報が特定されないまま検査を行った場合には、サーバ１は、パス情報を検査装置２に通知した上で、一時的に所定の領域に患者情報と対応付けのなされていない検査情報を格納しておく。検査システムのユーザは、検査の後に（検査情報を記憶装置４に格納した後に）患者情報が特定されると、パス情報を用いて検査情報を閲覧し、検査情報と患者情報との対応付けを行う。パス情報を事前に検査装置２を介してユーザ側に通知しておくことで、患者情報との対応付けを行う際に、検査情報を一時的に格納しておく領域を探索しなくとも、所望の検査情報に容易にアクセスすることが可能となる。したがって、検査の後に検査情報を患者情報と対応付けを行う際のユーザの手間や負担を大きく軽減することが可能となる。
【００４９】
ここで、上記の実施例においては、患者情報と対応付けのされていない検査情報をサーバ１の記憶装置４に一時的に格納しておくタイミングで、サーバ１がパス情報を取得してこれを検査装置２に通知する構成をとる。しかし、本実施形態は、これに限定されるものではない。検査装置２が患者情報と対応付けのなされていない検査情報を識別する情報を生成する識別情報生成部として動作し、生成した情報をサーバ１に通知する構成とすることもできる。これについて、図８を参照して説明する。
【００５０】
図８は、本実施形態に係る検査システムにおいて、患者情報と検査情報とを対応付けてサーバ１にて管理する方法について説明する図である。
図８（ａ）は、記憶装置４に患者情報及び検査情報を対応付けて保存する際のフォルダの構造を例示する。図８（ａ）に示すように、例えば、記憶装置４上には、患者ごとにすなわち患者情報ごとにフォルダを作成する。患者情報フォルダ配下には、検査情報１、２、…、ｎを追加していく。検査情報１〜ｎは、それぞれ１回の検査を行うごとに作成されるデータ一式を表している。
【００５１】
図８（ｂ−１）及び図８（ｂ−２）は、記憶装置４に一時的に患者情報と対応付けのされていない検査情報にアクセスするときに使用する仮の識別情報について説明する図である。
【００５２】
図８（ｂ−１）に模式的に示すように、検査情報の一時的な保存先（図８においては患者不明領域とする）の保存場所がサーバ１により管理されている場合には、検査情報の保存場所を表す情報を仮の識別情報に用いることができる。先の説明のパス情報は、この場合に該当する。
【００５３】
これに対し、図８（ｂ−２）は、仮の識別情報としてパス情報とは異なる情報を使用する場合の患者不明領域のデータ構造を示す。サーバ１の記憶装置４の患者不明領域には、検査情報と仮の識別情報（図面においては仮ＩＤ）とが互いに対応付けられている。
【００５４】
図８（ｂ−２）の構成で患者不明領域に検査情報を保存する場合は、例えば検査装置２にて仮の識別情報を検査情報に割り当てることとしてもよい。図１のシーケンス図では、検査装置２から検査情報保存要求を送信し、これに応じてサーバ１はパス情報を検査装置２に送信しているが、これらの通信は不要である。検査装置２は、患者情報が入力されていない場合は、検査情報をサーバ１に送信するときに、仮の識別情報を検査情報とともに検査情報をサーバ１に送信する。
【００５５】
検査後に患者情報と検査情報との対応付けを行う際には、ユーザの端末装置６からサーバ１に仮の識別情報を送信し、サーバ１はこれをキーに患者不明領域の探索を行うことで、ユーザは、所望の検査情報にアクセスすることができる。これは、例えば図５の（ｂ）の画面（２）のメッセージ５４を表示する領域に、仮の識別情報を入力するテキストボックスを設ける等により実現することができる。
【００５６】
あるいは、サーバ１にて仮の識別情報を生成し、これを検査装置２に通知する構成としてもよい。この場合の処理の流れを、図１のシーケンス図を参照して説明すると、サーバ１は、検査装置２からの検査情報保存要求に対し、パス情報でなく、生成した仮の識別情報を検査装置２に向けて送信する。検査後の患者情報との対応付けを行う処理では、図５（ｂ）の画面（２）のメッセージ５４を表示する領域に仮の識別情報を入力するテキストボックスを設ける等により実現することができる。
【００５７】
なお、図８（ｂ−２）の構成をとる場合、仮の識別情報としては、数字や文字の配列等を用いてもよいが、患者を具体的に識別することのできる情報を設定することが望ましい。例えば、検査後に患者が収容されたベッドや施設内の患者の収容場所等、患者の所在を一意に特定することのできる情報を仮の識別情報に付しておくことが考えられる。この場合は、検査の段階でユーザが検査装置２に仮の識別情報を入力し、これを検査情報とともにサーバ１に送信して通知しておく必要がある。ベッドや施設内の患者の収容場所等を表した仮の識別情報は、紙媒体に出力しておいてもよい。患者のベッド脇等に紙媒体を保管しておくことで、ユーザにとっては、検査情報が患者情報とまだ対応付けられていないことを容易に把握でき、また、患者が特定された段階で患者不明領域の検査情報を患者情報と対応付ける作業がし易くなる、という効果が期待できる。
【００５８】
本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることは言うまでもない。
【符号の説明】
【００５９】
１      サーバ
２      検査装置
３      印刷装置
４      記憶装置
５      映像認識装置
６      端末装置
【図１】
2017054316.tif 000003
【図２】
2017054316.tif 000004
【図３】
2017054316.tif 000005
【図４】
2017054316.tif 000006
【図５】
2017054316.tif 000007
【図６】
2017054316.tif 000008
【図７】
2017054316.tif 000009
【図８】
2017054316.tif 000010
【図９】
2017054316.tif 000011